(57)【要約】【課題】低コストに導入、運用が可能なインセンティブ提供システムを構築する。【解決手段】非接触型ＩＣカードチップ２５を内蔵した携帯装置２は、接触型ＩＣカードチップ２５に店舗端末１から送信されたURLにアクセスする。このURLは、センタ装置のURLとダミーのセンタ装置３内パスを含み、ダミーのセンタ装置３内パスには、店舗端末１のＩＤと購入金額のデータを含む。センタ装置３は、アクセスされたセンタ装置３内パスから、携帯装置２のユーザの購入金額と利用店舗を識別し、当該ユーザに購入金額に応じた利用店舗のポイントを付与する。また、センタ装置３は、アクセスされたセンタ装置３内アドレスに購入金額が含まれない場合、当該ユーザに当該ユーザに付与されている利用店舗のポイントに応じたクーポンを送信する。【選択図】図１
2012181652.tif 000002
【特許請求の範囲】
【請求項１】
センタ装置と、店舗に設置される店舗端末と、非接触通信を行うＩＣカードチップを備えた携帯装置とを備えたインセンティブ提供システムであって、
前記店舗端末は、
前記携帯装置のＩＣカードチップと非接触通信を行うリーダライタ部と、
当該店舗端末が設置された店舗におけるユーザの購入金額の入力を受け付けて、携帯装置のＩＣカードチップに、当該店舗端末の識別と入力を受け付けた購入金額とを表すポイント発行用データを、前記リーダライタ部を介して非接触通信で送信するポイント発行用データ送信部とを備え、
前記携帯装置は、
移動体通信を行う移動体通信部と、
前記センタ装置に前記移動体通信を介してアクセスし、前記携帯装置のＩＣカードチップが前記店舗端末から受信した前記ポイント発行用データを送信するポイント取得手段とを備え、
前記センタ装置は、
前記携帯装置毎に、当該携帯装置の店舗毎のポイントを管理するポイント管理手段と、
前記携帯装置から前記ポイント発行用データを受信し、前記ポイント管理手段が管理している、当該携帯装置の、当該ポイント発行用データが表す店舗端末の識別が示す店舗端末が設置された店舗のポイントを、当該データが表す購入金額に応じたポイント分を加算し、加算したポイントと加算後とのポイントの少なくとも一方を表すポイント取得状況を、当該携帯装置に送信するポイント提供手段とを有し、
前記携帯装置のポイント取得手段は、前記センタ装置から送信されたポイント取得状況を表示することを特徴とするインセンティブ提供システム。
【請求項２】
請求項１記載のインセンティブ提供システムであって、
前記端末装置のポイント発行用データ送信部は、前記センタ装置のURLに、前記センタ装置内のパスまたはその一部として当該店舗端末の識別と前記購入金額を付加したURLを、前記ポイント発行用データとして送信し、
前記携帯装置のポイント取得手段は、前記ポイント発行用データをURLとして前記センタ装置にアクセスすることにより、当該ポイント発行用データをセンタ装置に送信することを特徴とするインセンティブ提供システム。
【請求項３】
請求項１または２記載のインセンティブ提供システムであって、
前記店舗端末は、
携帯装置のＩＣカードチップに、当該店舗端末の識別を表すクーポン発行用データを、前記リーダライタ部を介して非接触通信で送信するクーポン発行用データ送信部とを備え、
前記携帯装置は、
前記センタ装置に前記移動体通信を介してアクセスし、前記携帯装置のＩＣカードチップが前記店舗端末から受信したクーポン発行用データを送信するクーポン取得手段とを備え、
前記センタ装置は、
店舗毎に当該店舗のクーポンと当該クーポンの交換ポイント数を管理するクーポン管理手段と、
前記携帯装置から前記クーポン発行用データを受信し、前記クーポン管理手段が管理している当該クーポン発行用データが表す店舗端末の識別が示す店舗端末が設置された店舗のクーポンを、当該携帯装置に送信し、前記ポイント管理手段が管理している、当該携帯装置の、当該クーポン発行用データが表す店舗端末の識別が示す店舗端末が設置された店舗のポイントを、前記クーポン管理手段が管理している前記送信したクーポンの交換ポイント数分減算するクーポン提供手段とを有し、
前記携帯装置のクーポン取得手段は、前記センタ装置から送信されたクーポンを表示することを特徴とするインセンティブ提供システム。
【請求項４】
センタ装置と、店舗に設置される店舗端末と、非接触通信を行うＩＣカードチップを備えた携帯装置とを備えたインセンティブ提供システムであって、
前記店舗端末は、
携帯装置のＩＣカードチップに、当該店舗端末の識別を表すクーポン発行用データを、前記リーダライタ部を介して非接触通信で送信するクーポン発行用データ送信部とを備え、
前記携帯装置は、
前記センタ装置に前記移動体通信を介してアクセスし、クーポンの発行を要求するクーポン発行要求部と、
前記センタ装置に前記移動体通信を介してアクセスし、前記センタ装置に前記携帯装置のＩＣカードチップが前記店舗端末から受信したクーポン発行用データを送信するクーポン取得手段とを備え、
前記センタ装置は、
前記クーポンの発行を要求した前記携帯装置と、前記発行を要求されたクーポンを利用可能な店舗とに対応づけて、前記発行を要求されたクーポンを登録するキープクーポン管理手段と、
前記携帯装置から前記クーポン発行用データを受信し、当該携帯装置と当該クーポン発行用データが表す店舗端末の識別が示す店舗端末が設置された店舗とに対応づけて前記キープクーポン管理手段に登録されているクーポンを、当該携帯装置に送信するクーポン提供手段とを有し、
前記携帯装置のクーポン取得手段は、前記センタ装置から送信されたクーポンを表示することを特徴とするインセンティブ提供システム。
【請求項５】
請求項１記載のインセンティブ提供システムであって、
前記店舗端末は、
携帯装置のＩＣカードチップに、当該店舗端末の識別を表すクーポン発行用データを、前記リーダライタ部を介して非接触通信で送信するクーポン発行用データ送信部とを備え、
前記携帯装置は、
前記センタ装置に前記移動体通信を介してアクセスし、クーポンの発行を要求するクーポン発行要求部と、
前記センタ装置に前記移動体通信を介してアクセスし、前記センタ装置に前記携帯装置のＩＣカードチップが前記店舗端末から受信したクーポン発行用データを送信するクーポン取得手段とを備え、
前記センタ装置は、
店舗毎に当該店舗のクーポンと当該クーポンの交換ポイント数を管理するクーポン管理手段と、
前記クーポンの発行を要求した前記携帯装置と、前記発行を要求されたクーポンを利用可能な店舗とに対応づけて、前記発行を要求されたクーポンを登録すると共に、前記ポイント管理手段が管理している、当該携帯装置の当該登録したクーポンを利用可能な店舗のポイントを、前記クーポン管理手段が管理している当該クーポンの交換ポイント数分減算するキープクーポン管理手段と、
前記携帯装置から前記クーポン発行用データを受信し、当該携帯装置と当該クーポン発行用データが表す店舗端末の識別が示す店舗端末が設置された店舗とに対応づけて前記キープクーポン管理手段に登録されているクーポンを、当該携帯装置に送信するクーポン提供手段とを有し、
前記携帯装置のクーポン取得手段は、前記センタ装置から送信されたクーポンを表示することを特徴とするインセンティブ提供システム。
【請求項６】
請求項３、４または５記載のインセンティブ提供システムであって、
前記端末装置のクーポン発行用データ送信部は、前記センタ装置のURLに、前記センタ装置内のパスまたはその一部として当該店舗端末の識別を付加したURLを、前記クーポン発行用データとして送信し、
前記携帯装置のクーポン取得手段は、前記クーポン発行用データをURLとして前記センタ装置にアクセスすることにより、当該ポイント発行用データをセンタ装置に送信することを特徴とするインセンティブ提供システム。
【請求項７】
センタ装置と、店舗に設置される店舗端末と、非接触通信を行うＩＣカードチップを備えた携帯装置とを備えたインセンティブ提供システムであって、
前記店舗端末は、
前記携帯装置のＩＣカードチップと非接触通信を行うリーダライタ部と、
携帯装置のＩＣカードチップに、所定のインセンティブを提供するためのデータを、前記リーダライタ部を介して非接触通信で送信するインセンティブ発行用データ送信部とを備え、
前記携帯装置は、
移動体通信を行う移動体通信部と、
前記センタ装置に前記移動体通信を介してアクセスし、前記携帯装置のＩＣカードチップが前記店舗端末から受信したインセンティブ発行用データを送信するインセンティブ取得手段とを備え、
前記センタ装置は、
前記携帯装置から受信した前記インセンティブ発行用データを認証する認証処理部と、
認証処理部が認証したインセンティブ発行用データを送信した携帯装置のユーザに、所定のインセンティブを提供するインセンティブ提供手段とを有し、
前記店舗端末のインセンティブ発行用データ送信部は、各インセンティブ発行用データに、当該インセンティブ発行用データが送信された順番を示す番号を割り当てると共に、送信するインセンティブ発行用データに、当該店舗端末の識別と、過去直近に送信した所定数のインセンティブ発行用データの送信先となった携帯装置のＩＣカードチップの識別子の一部を連結した認証用データと、当該インセンティブ発行用データに割り当てられた番号とを含め、
前記センタ装置の認証手段は、インセンティブ発行用データに含まれる認証用データと前記番号と、当該インセンティブ発行用データと同じ前記店舗端末の識別を含む過去に認証したインセンティブ発行用データに含まれる認証データと前記番号とを用いて、当該インセンティブ発行用データに含まれる認証用データと、前記過去に認証したインセンティブ発行用データに含まれる認証用データとの間の整合性を判定し、整合性がある場合に、当該インセンティブ発行用データを認証することを特徴とするインセンティブ提供システム。
【発明の詳細な説明】
【技術分野】
【０００１】
本発明は、購入者にポインタやクーポンを提供するインセンティブ提供システムに関するものである。
【背景技術】
【０００２】
購入者にポインタやクーポンなどのインセンティブを提供するインセンティブ提供システムとしては、購入者の携帯端末と、店舗に設置される店舗端末と、ポイント管理センタとを備えたシステムが知られている（たとえば、特許文献１）。このシステムでは、購入者の物品の購入の際に、店舗が購入者に与えるポイントを店舗端末からポイント管理センタに登録したり、購入者のポイントの使用の際に、店舗端末からポイント管理センタにアクセスして購入者のポイント残高を確認したり、ポイント管理センタに登録されている購入者のポイントの使用ポイント分の引き去りを行えるようにしている。また、このシステムでは、購入者が、随時、携帯端末を用いて、ポイント管理センタにログインし所有ポイントの残高を確認できるようになっている。
【先行技術文献】
【特許文献】
【０００３】
【特許文献１】特開２００１-２７３５６３号公報
【発明の概要】
【発明が解決しようとする課題】
【０００４】
上述したシステムによれば、購入者へのポイントの付与や引き去りは、全て店舗端末を介して行われるため、常時または随時ポイント管理センタとオンライン接続する機能などの多様な機能が店舗端末に必要となる。そして、このために、店舗端末設備の導入、保守のコストが比較的大きくなると共に、運用の開始後にはポイント管理センタとの通信のコストも発生する。また、購入者へのポイントの付与や引き去りが全て店舗端末を介して行われるため、店舗のオペレータのポイントの付与や引き去りのための店舗端末の煩雑な操作も必要となる。
【０００５】
すなわち、店舗にとってのインセンティブ提供システムの導入、運用の負担が大きい。
そこで、本発明は、より低コストに導入、運用が可能なインセンティブ提供システムを提供することを課題とする。
【課題を解決するための手段】
【０００６】
前記課題達成のために、本発明は、センタ装置と、店舗に設置される店舗端末と、非接触通信を行うＩＣカードチップを備えた携帯装置とを備えたインセンティブ提供システムにおいて、前記店舗端末に前記携帯装置のＩＣカードチップと非接触通信を行うリーダライタ部と、当該店舗端末が設置された店舗におけるユーザの購入金額の入力を受け付けて、携帯装置のＩＣカードチップに、当該店舗端末の識別と入力を受け付けた購入金額とを表すポイント発行用データを、前記リーダライタ部を介して非接触通信で送信するポイント発行用データ送信部とを設け、前記携帯装置に、移動体通信を行う移動体通信部と、前記センタ装置に前記移動体通信を介してアクセスし、前記携帯装置のＩＣカードチップが前記店舗端末から受信したポイント発行用データを送信するポイント取得手段とを設け、前記センタ装置に、前記携帯装置毎に、当該携帯装置の店舗毎のポイントを管理するポイント管理手段と、前記携帯装置から前記ポイント発行用データを受信し、前記ポイント管理手段が管理している、当該携帯装置の、当該ポイント発行用データが表す店舗端末の識別が示す店舗端末が設置された店舗のポイントを、当該データが表す購入金額に応じたポイント分を加算し、加算したポイントと加算後のポイントの少なくとも一方を表すポイント取得状況を、当該携帯装置に送信するポイント提供手段とを有設けると共に、前記携帯装置のポイント取得手段において、前記センタ装置から送信されたポイント取得状況を表示するようにしたものである。
【０００７】
ここで、このようなインセンティブ提供システムは、さらに、前記店舗端末に、携帯装置のＩＣカードチップに、当該店舗端末の識別を表すクーポン発行用データを、前記リーダライタ部を介して非接触通信で送信するクーポン発行用データ送信部を設けると共に、前記携帯装置に、前記センタ装置に前記移動体通信を介してアクセスし、前記携帯装置のＩＣカードチップが前記店舗端末から受信したクーポン発行用データを送信するクーポン取得手段とを設け、前記センタ装置に、店舗毎に当該店舗のクーポンと当該クーポンの交換ポイント数を管理するクーポン管理手段と、前記携帯装置から前記クーポン発行用データを受信し、前記クーポン管理手段が管理している当該クーポン発行用データが表す店舗端末の識別が示す店舗端末が設置された店舗のクーポンを、当該携帯装置に送信し、前記ポイント管理手段が管理している、当該携帯装置の、当該クーポン発行用データが表す店舗端末の識別が示す店舗端末が設置された店舗のポイントを、前記クーポン管理手段が管理している、前記送信したクーポンの交換ポイント数分減算するクーポン提供手段とを設け、前記携帯装置のクーポン取得手段において、前記センタ装置から送信されたクーポンを表示するように構成してもよい。
【０００８】
これらのインセンティブ提供システムによれば、ユーザが携帯装置を店舗端末に近づけるだけで、当該店舗のポイントの取得や当該店舗のポイントの当該店舗のクーポンへの交換を行うことができる。
また、店舗端末はセンタ装置と通信する必要がないため、通信コストは発生せず、また、店舗端末を簡略な構成によって安価に提供することができる。また、店舗端末を介してポイントやクーポンの発行を行わないので、店舗端末の煩雑な操作の必要性を排することができる。よって、低コストに導入、運用が可能なインセンティブ提供システムを実現することができる。
【０００９】
また、前記課題達成のために、本発明は、センタ装置と、店舗に設置される店舗端末と、非接触通信を行うＩＣカードチップを備えた携帯装置とを備えたインセンティブ提供システムにおいて、前記店舗端末に、携帯装置のＩＣカードチップに、当該店舗端末の識別を表すクーポン発行用データを、前記リーダライタ部を介して非接触通信で送信するクーポン発行用データ送信部とを備え、前記携帯装置に、前記センタ装置に前記移動体通信を介してアクセスし、クーポンの発行を要求するクーポン発行要求部と、前記センタ装置に前記移動体通信を介してアクセスし、前記センタ装置に前記携帯装置のＩＣカードチップが前記店舗端末から受信したクーポン発行用データを送信するクーポン取得手段とを備え、前記センタ装置に、前記クーポンの発行を要求した前記携帯装置と、前記発行を要求されたクーポンを提供する店舗とに対応づけて、前記発行を要求されたクーポンを登録するキープクーポン管理手段と、前記携帯装置から前記クーポン発行用データを受信し、当該携帯装置と当該クーポン発行用データが表す店舗端末の識別が示す店舗端末が設置された店舗とに対応づけて前記キープクーポン管理手段に登録されているクーポンを、当該携帯装置に送信するクーポン提供手段とを備え、前記携帯装置のクーポン取得手段において、前記センタ装置から送信されたクーポンを表示するようにしたものである。
【００１０】
なお、このようなインセンティブ提供システムは、上述したポイント管理手段をセンタ装置に備えたインセンティブ提供システムと組み合わせて実施することもできる。
すなわち、この場合には、センタ装置に、店舗毎に当該店舗のクーポンと当該クーポンの交換ポイント数を管理するクーポン管理手段を設け、キープクーポン管理手段において、前記クーポンの発行を要求した前記携帯装置と、前記発行を要求されたクーポンを利用可能な店舗とに対応づけて、前記発行を要求されたクーポンを登録すると共に、前記ポイント管理手段が管理している、当該携帯装置の当該登録したクーポンを利用可能な店舗のポイントを、前記クーポン管理手段が管理している当該クーポンの交換ポイント数分減算するようにすればよい。
【００１１】
ここで、このようなインセンティブ提供システムによれば、携帯装置のユーザは、店舗の訪問に先だって予めセンタ装置にアクセスして当該店舗のクーポンをセンタ装置に登録することができる。また、その後、店舗において店舗端末にタッチするだけで、予め登録したクーポン取得して、当該クーポンを使用することができるようになる。
【００１２】
また、店舗端末はセンタ装置と通信する必要がないため、通信コストは発生せず、また、店舗端末を簡略な構成によって安価に提供することができる。また、店舗端末を介してポイントやクーポンの発行を行わないので、店舗端末の煩雑な操作の必要性を排することができる。よって、低コストに導入、運用が可能なインセンティブ提供システムを実現することができる。
【００１３】
ここで、以上のようなインセンティブ提供システムは、前記端末装置のポイント発行用データ送信部において、前記センタ装置のURLに、前記センタ装置内のパスまたはその一部として当該店舗端末の識別と前記購入金額を付加したURLを、前記ポイント発行用データとして送信し、前記携帯装置のポイント取得手段において、前記ポイント発行用データをURLとして前記センタ装置にアクセスすることにより、当該ポイント発行用データをセンタ装置に送信するように構成してもよい。また、以上のようなインセンティブ提供システムは、前記端末装置のクーポン発行用データ送信部において、前記センタ装置のURLに、前記センタ装置内のパスまたはその一部として当該店舗端末の識別を付加したURLを、前記クーポン発行用データとして送信し、前記携帯装置のクーポン取得手段において、前記クーポン発行用データをURLとして前記センタ装置にアクセスすることにより、当該ポイント発行用データをセンタ装置に送信するように構成してもよい。
【００１４】
このようにすることにより、一般的なＷｅｂブラウザを携帯装置のポイント取得手段やクーポン取得手段として用いることができるようになる。
また、前記課題達成のために、本発明は、センタ装置と、店舗に設置される店舗端末と、非接触通信を行うＩＣカードチップを備えた携帯装置とを備えたインセンティブ提供システムにおいて、前記店舗端末に、前記携帯装置のＩＣカードチップと非接触通信を行うリーダライタ部と、携帯装置のＩＣカードチップに、所定のインセンティブを提供するためのデータを、前記リーダライタ部を介して非接触通信で送信するインセンティブ発行用データ送信部とを設け、前記携帯装置に、移動体通信を行う移動体通信部と、前記センタ装置に前記移動体通信を介してアクセスし、前記携帯装置のＩＣカードチップが前記店舗端末から受信したインセンティブ発行用データを送信するインセンティブ取得手段とを設け、前記センタ装置に、前記携帯装置から受信した前記インセンティブ発行用データを認証する認証処理部と、認証処理部が認証したインセンティブ発行用データを送信した携帯装置のユーザに、所定のインセンティブを提供するインセンティブ提供手段とを設け、前記店舗端末のインセンティブ発行用データ送信部において、各インセンティブ発行用データに、当該インセンティブ発行用データが送信された順番を示す番号を割り当てると共に、送信するインセンティブ発行用データに、当該店舗端末の識別と、過去直近に送信した所定数のインセンティブ発行用データの送信先となった携帯装置のＩＣカードチップの識別子の一部を連結した認証用データと、当該インセンティブ発行用データに割り当てられた番号とを含め、前記センタ装置の認証手段において、インセンティブ発行用データに含まれる認証用データと前記番号と、当該インセンティブ発行用データと同じ前記店舗端末の識別を含む過去に認証したインセンティブ発行用データに含まれる認証データと前記番号とを用いて、当該インセンティブ発行用データに含まれる認証用データと、前記過去に認証したインセンティブ発行用データに含まれる認証用データとの間の整合性を判定し、整合性がある場合に、当該インセンティブ発行用データを認証するようにしたものである。
【００１５】
このようなインセンティブ提供システムによれば、上述のように低コストに導入、運用が可能なインセンティブ提供システムにおいて、センタ装置におけるインセンティブ発行用データの真正性の認証を信頼性高く行うことができる。
【発明の効果】
【００１６】
以上のように、本発明によれば、より低コストに導入、運用が可能なインセンティブ提供システムを提供することができる。
【図面の簡単な説明】
【００１７】
【図１】本発明の第１実施形態に係るインセンティブ提供システムの全体構成を示す図である。
【図２】本発明の第１実施形態に係るインセンティブ提供システムの構成を示すブロック図である。
【図３】本発明の第１実施形態に係る送信履歴データテーブルと送信データを示す図である。
【図４】本発明の第１実施形態に係るユーザ管理データベースと店舗端末管理データベースを示す図である。
【図５】本発明の第１実施形態に係るポイント/クーポン提供処理を示すフローチャートである。
【図６】本発明の第１実施形態に係る携帯装置のＷｅｂページの例を示す図である。
【図７】本発明の第１実施形態に係る認証処理を示すフローチャートである。
【図８】本発明の第１実施形態に係る認証処理の処理例を示す図である。
【図９】本発明の第２実施形態に係るインセンティブ提供システムの構成を示すブロック図である。
【図１０】本発明の第２実施形態に係るユーザ管理データベースと店舗端末管理データベースを示す図である。
【図１１】本発明の第２実施形態に係るクーポン発行処理を示すフローチャートである。
【図１２】本発明の第２実施形態に係るポイント/クーポン提供処理を示すフローチャートである。
【図１３】本発明の第２実施形態に係る携帯装置のＷｅｂページの例を示す図である。
【発明を実施するための形態】
【００１８】
以下、本発明の実施形態について説明する。
まず、第１の実施形態について説明する。
図１に、本第１実施形態に係るインセンティブ提供システムの全体構成を示す。
図示するように、インセンティブ提供システムは、各店舗に設置される店舗端末１、各ユーザが携帯する移動電話機（携帯電話）やスマートフォンなどの携帯装置２、携帯装置２が移動体通信網を介してアクセス可能なセンタ装置３とより構成される。
次に、図２に、店舗端末１、携帯装置２、センタ装置３の内部構成を示す。
図示するように、携帯装置２は、操作部２１、表示部２２、音声入出力部２３、移動体通信装置２４、非接触型ＩＣカードチップ２５を備えている。また、携帯装置２は、当該携帯装置２に実装され当該携帯装置２上で稼働するアプリケーションとして、操作部２１や表示部２２や音声入出力部２３を用いた移動電話機能を提供する移動動電話アプリケーション２６、Ｗｅｂブラウザ２７、その他のアプリケーション２８を備えている。
【００１９】
ここで、非接触型ＩＣカードチップ２５は、たとえば、FeliCA（登録商標）などとして知られる非接触の近接型の無線通信機能を備えたＩＣカードと同等の機能を備えたチップであり、電子マネーその他の各種のデータの記憶や、当該データの近接型の無線通信を用いた送受等を、携帯装置２へのアプリケーション２８と連携して行う機能を備えている。
【００２０】
次に、店舗端末１は、表示装置１１、入力装置１２、端末制御部１３、リーダライタ１４、暗号化処理部１５、送信データ生成部１６、送信履歴データテーブル１７とを備えている。
ここで、リーダライタ１４は、携帯装置２の非接触型ＩＣカードチップ２５と近接型の無線通信を行う装置である。
次に、センタ装置３は、Ｗｅｂサーバ３１、Ｗｅｂアプリケーションサーバ３２、ユーザ管理データベース３３、店舗端末管理データベース３４を備えている。そして、Ｗｅｂアプリケーションサーバ３２は、復号部３２１、ポイント/クーポン提供処理部３２２、認証処理部３２３を備えている。
【００２１】
以下、このようなインセンティブ提供装置の動作について説明する。
まず、店舗端末１の動作について説明する。
店舗端末１の動作には、ポイント発行用の送信データを携帯装置２に送信するポイント発行用データ提供動作と、クーポン発行用の送信データを携帯装置２に送信するクーポン発行用データ提供動作との二つの動作がある。
ここで、図３ａに、店舗端末１が備える送信履歴データテーブル１７の内容を示す。
図示するように、送信履歴データテーブル１７には、過去に任意の携帯装置２に送信した送信データの各々に対応する所定数のエントリを有し、より上のエントリは、より送信日時が新しい送信データに対応するエントリとなる。そして、各エントリには、対応する送信データのシリアルナンバーと、対応する送信データの送信日時と、対応する送信データを送信した携帯装置２の非接触型ＩＣカードチップ２５のＩＤであるＩＣカードＩＤとが登録される。なお、送信データには、シリアルナンバーとして、送信順に１ずつ増加する連番を与える。
【００２２】
まず、店舗端末１が行う二つの動作のうちの、ポイント発行用データ提供動作について説明する。
ポイント発行用データ提供動作は、ユーザが店舗で買い物をしたときに、当該ユーザにポイントを発行するために行う動作であり、端末制御部１３は、店舗端末１のオペレータから入力装置１２を介してポイント発行指示が入力されたならば、以下に示すポイント発行用データ提供動作の実行の制御を開始する。
【００２３】
すなわち、端末制御部１３は、ポイント発行用データ提供動作において、まず、店舗端末のオペレータから入力装置１２を介してユーザが当該店舗で購入した金額の入力を受け付ける。そして、携帯装置２の非接触型ＩＣカードチップ２５のリーダライタ１４へのアクセスを待ち、アクセスが発生したならば、ポイント発行用の送信データを携帯装置２の非接触型ＩＣカードチップ２５に送信する動作を制御する。
【００２４】
ここで、ポイント発行用の送信データの携帯装置２へ送信は、まず、図３ｂ１に示すように、送信データ生成部１６において送信データを作成する。次に、図３ｂ２に示すように、暗号化処理部１５に、おいて、送信データ生成部１６で生成された送信データを所定の暗合化アルゴリズムで暗号化すると共に、暗号化した送信データの先頭に、センタ装置３のＷｅｂサーバ３１のURL"http://center.com"を付加して、暗号化した送信データをＷｅｂサーバ３１内のパスとするURLの形式のデータとし、これを、URLデータとしてリーダライタ１４に送る。そして、リーダライタ１４において、暗号化処理部１５から送られたURLデータを、携帯装置２の非接触型ＩＣカードチップ２５に送信する。
【００２５】
また、図３ｂ１に示すように、送信データ生成部１６が生成する送信データは、店舗端末１のＩＤである端末ＩＤ、送信データに与えたシリアルナンバー、当該送信データがポイント発行用の送信データであることを表すデータコード、リーダライタ１４にアクセスした非接触型ＩＣカードチップ２５すなわち送信データの送信先となる非接触型ＩＣカードチップ２５のＩＤを表すＩＣカードＩＤ、上述のようにオペレータによって入力されたユーザが当該店舗で購入した金額を表す購入金額、現在日時を表す送信日時、ＩＣカードＩＤ履歴が登録される。ＩＣカードＩＤ履歴は、送信履歴データテーブル１７の１番目からｎ番目に登録されているＩＣカードＩＤの下一桁を、エントリ順と逆順に連結して作成する。すなわち、ＩＣカードＩＤ履歴は、店舗端末１が、過去直近に送信したｎ個の送信データの送信先となった携帯装置２の非接触型ＩＣカードチップ２５のＩＣカードＩＤの下一桁を、送信日時が古いものより順次連結したものとなる。ただし、ＩＣカードＩＤの下一桁に代えて、ＩＣカードＩＤの、任意数の予め定めた固定位置の桁を連結してＩＣカードＩＤ履歴を作成するようにしてもよい。
【００２６】
さて、送信データが暗号化されて含まれるURLデータが携帯装置２の非接触型ＩＣカードチップ２５に送信されたならば、端末制御部１３は、送信履歴データテーブル１７に新たなエントリを送信履歴データテーブル１７の一番目のエントリとして追加し、当該エントリに送信データに含めたシリアルナンバー、送信日時、ＩＣカードＩＤを登録する。
【００２７】
次に、店舗端末１が行う二つの動作のうちの、クーポン発行用データ提供動作について説明する。
端末制御部１３は、店舗端末１のオペレータから入力装置１２を介してクーポン発行指示が入力されたならば、クーポン発行用データ提供動作の実行の制御を開始する。
端末制御部１３は、ポイント発行用データ提供動作において、まず、携帯装置２の非接触型ＩＣカードチップ２５のリーダライタ１４へのアクセスを待つ。
そして、アクセスが発生したならば、クーポン発行用の送信データを携帯装置２に送信する動作を制御する。ここで、クーポン発行用の送信データを携帯装置２に送信する動作は、送信データの購入金額に金額を含めないことと、送信データの上述したデータコードとして、当該送信データがクーポン発行用の送信データであることを表すコードが登録されることを除き、上述したポイント発行用データ提供動作におけるポイント発行用の送信データを携帯装置２に送信する動作と同じである。
【００２８】
また、端末制御部１３は、クーポン発行用データ提供動作においても、ポイント発行用データ提供動作と同様に、送信データが暗号化されて含まれるURLデータが携帯装置２の非接触型ＩＣカードチップ２５に送信されたならば、送信履歴データテーブル１７に新たなエントリを送信履歴データテーブル１７の一番目のエントリとして追加し、当該エントリに送信データに含めたシリアルナンバー、送信日時、ＩＣカードＩＤを登録する。
【００２９】
なお、以上では、ポイント発行指示の入力があったときに端末制御部１３においてクーポン発行用データ提供動作の実行の制御を開始するようにしたが、これは、端末制御部１３において、ポイント発行指示が入力されることなく、携帯装置２の非接触型ＩＣカードチップ２５のリーダライタ１４へのアクセスが発生した場合に、クーポン発行用データ提供動作の実行の制御を開始するように構成してもよい。ただし、この場合には、クーポン発行用データ提供動作において、携帯装置２の非接触型ＩＣカードチップ２５のリーダライタ１４へのアクセスを待つ必要はない。
【００３０】
以上、店舗端末１の動作について説明する。
次に、携帯装置２の動作について説明する。
携帯装置２の非接触型ＩＣカードチップ２５は、以上のようにして店舗端末１からURLデータを受信したならば、Ｗｅｂブラウザ２７をアクティブにし受信したURLデータをURLとして引き渡し、Ｗｅｂブラウザ２７に引き渡したURLにアクセスさせる。そして、この携帯装置２のＷｅｂブラウザ２７のURLへのアクセスによって、センタ装置３のＷｅｂサーバ３１へのアクセスが発生することとなる。
【００３１】
一方、非接触型ＩＣカードチップ２５から引き渡されたURLにアクセスしたＷｅｂブラウザ２７は、以降、一般的なＷｅｂブラウザ２７と同様に動作し、アクセスの応答として受け取ったＷｅｂページの表示部２２への表示や、操作部２１を介したＷｅｂページへの操作に応じてＷｅｂページに定義された動作を行う。
【００３２】
次に、センタ装置３の動作について説明する。
まず、センタ装置３が備えるユーザ管理データベース３３と、店舗端末管理データベース３４の内容について説明する。
図４ａに示すように、ユーザ管理データベース３３は、センタ装置３を利用したことのある携帯装置毎に対応して設けられたユーザレコードを有し、各ユーザレコードには、対応する携帯装置２のＩＤである携帯装置ＩＤ、対応する携帯装置２が備える非接触型ＩＣカードチップ２５のＩＣカードＩＤ、ポイントデータ、購入履歴が登録されている。
【００３３】
ここで、ポイントデータは、対応する携帯装置２のユーザが購入を行った店舗の店舗端末１毎に対応して設けたエントリを有し、各エントリには、対応する店舗端末１の端末ＩＤと、対応する携帯装置２のユーザに対して付与されている、対応する店舗端末１の店舗のポイントを表すポイント数が登録されている。
【００３４】
また、購入履歴には、対応する携帯装置２のユーザが購入を行った店舗の店舗端末１の端末ＩＤと当該購入における購入金額とが、履歴データとして登録される。
次に、図４ｂに示すように、店舗端末管理データベース３４は、店舗端末１毎に対応して設けた店舗端末レコードを有し、各店舗端末レコードには、対応する店舗端末１の端末ＩＤと、クーポンデータと、認証履歴データとが登録される。
ここで、クーポンデータには、対応する店舗端末１の店舗がユーザに提供するクーポン毎に対応して設けたエントリを有し、各エントリには、対応するクーポンの識別を示すクーポンＩＤ、対応するクーポンの名称、対応するクーポンと交換するポイント数を表す換算ポイント、対応するクーポンを表すものとして用いる画像であるクーポン画像が登録される。
【００３５】
また、認証履歴データには、対応する店舗端末１の端末ＩＤを含む送信データであって、過去に認証が成功した送信データ毎に対応して設けたエントリを有し、各エントリには、対応する送信データの認証に成功した日時である認証日時と、対応する送信データに含まれていた送信日時とシリアルナンバーとＩＣカードＩＤ履歴が登録される。
【００３６】
さて、このような構成において、センタ装置３は、携帯装置２のＷｅｂブラウザ２７の上述した暗号化された送信データを含むURLデータをアクセス先のURLとするアクセスによって、Ｗｅｂサーバ３１に対するアクセスが発生すると以下の動作を行う。
すなわち、Ｗｅｂサーバ３１は、当該アクセスのリクエストに含まれる当該アクセス元の携帯装置２の携帯装置ＩＤを取得すると共に、当該アクセスに含まれる、Ｗｅｂサーバ３１内のパスを表す部分、すなわち、暗号化された送信データを、ポイント/クーポン提供処理部３２２に送る。
【００３７】
一方、ポイント/クーポン提供処理部３２２は、図５に示すポイント/クーポン提供処理によって受け取った、暗号化された送信データを処理する。
以下、このポイント/クーポン提供処理について説明する。
図５に示すように、ポイント/クーポン提供処理部３２２は、Ｗｅｂサーバ３１からの暗号化された送信データの受信を待ち（ステップ５００）、暗号化された送信データを受信したならば、Ｗｅｂサーバ３１が取得している当該送信データを暗号化して含むURLへのアクセスを行った携帯装置２の携帯装置ＩＤを取得する（ステップ５０２）。そして、暗号化された送信データを、復号部３２１を用いて復号する（ステップ５０４）。そして、認証処理部３２３に受け取った送信データの認証を要求する（ステップ５０６）。
【００３８】
ここで、認証処理部３２３における送信データの認証動作については後述する。
そして、当該認証の要求に対する応答として認証処理部３２３から認証拒否が通知されたならば（ステップ５０８）、エラーメッセージを表した適当なＷｅｂページを作成し、Ｗｅｂサーバ３１を介して、当該送信データを暗号化して含むURLへのアクセスへの応答として、携帯装置２のＷｅｂブラウザ２７に送信する（ステップ５１０）。
【００３９】
一方、当該認証の要求に対する応答として認証処理部３２３から認証成功が通知された場合には（ステップ５０８）、送信データがポイント発行用の送信データであるかクーポン発行用の送信データあるかを送信データ中のデータコードより判別する（ステップ５１２）。
【００４０】
そして、送信データがポイント発行用の送信データであれば（ステップ５１２）、ユーザ管理データベース３３のステップ５０２で取得した携帯装置ＩＤが登録されているユーザレコードのポイントデータの、送信データに含まれる端末ＩＤのエントリのポイント数に、送信データに含まれる購入金額に応じたポイントを加算する（ステップ５１４）。また、ユーザ管理データベース３３のステップ５０２で取得した携帯装置ＩＤが登録されているユーザレコードの購入履歴に、送信データに含まれる端末ＩＤと購入金額を履歴データとして登録する（ステップ５１６）。
【００４１】
そして、ステップ５１４で加算したポイントと、加算後のポイント数を通知するメッセージを含めた図６ａに示すようなＷｅｂページを作成し、Ｗｅｂサーバ３１を介して、当該送信データを暗号化して含むURLへのアクセスへの応答として、携帯装置２のＷｅｂブラウザ２７に送信し（ステップ５１８）、ステップ５００からの処理に戻る。
【００４２】
ここで、携帯装置２のＷｅｂブラウザ２７はこのようにして送信されたＷｅｂページを表示部２２に表示し、ユーザは、Ｗｅｂブラウザ２７によって表示された図６ａに示すようなＷｅｂページより、ポイントの取得と、現在の所有ポイントを確認する。
一方、ステップ５１２において送信データがクーポン発行用の送信データであると判別された場合には、ユーザ管理データベース３３のステップ５０２で取得した携帯装置ＩＤが登録されているユーザレコードのポイントデータの、送信データに含まれる端末ＩＤのエントリのポイント数を取得する（ステップ５２０）。そして、店舗端末管理データベース３４の送信データの端末ＩＤが含まれる店舗端末レコードのクーポンデータを参照して、換算ポイントがステップ５２０で取得したポイント数以下のクーポン（換算ポイントが無料のクーポンを含む）のエントリを、ユーザの取得ポイントで提供可能なクーポンのエントリとして抽出する（ステップ５２２）。
【００４３】
そして、エントリを抽出したクーポンの図６ｂに示すようなクーポン名称の一覧を表したＷｅｂページであって、Ｗｅｂページ上でユーザから選択されたクーポンを表すリクエストのＷｅｂサーバ３１に対する送信を、Ｗｅｂページ表示時のＷｅｂブラウザ２７動作として定義したＷｅｂページを作成し、Ｗｅｂサーバ３１を介して、当該送信データを暗号化して含むURLへのアクセスへの応答として、携帯装置２のＷｅｂブラウザ２７に送信する（ステップ５２４）。
【００４４】
ここで、携帯装置２のＷｅｂブラウザ２７はこのようにして送信されたＷｅｂページを表示部２２に表示し、ユーザは、このようにして携帯装置２に表示される図６ｂに示すようなＷｅｂページから、取得可能なクーポンを認知し、所望のクーポンがあれば、それを選択する。また、クーポンの選択を受け付けたＷｅｂブラウザ２７は、Ｗｅｂページの定義に従って、選択を受け付けたクーポンを表すリクエストをＷｅｂサーバ３１に送信する。
【００４５】
そして、ステップ５２４で送信したＷｅｂページでユーザから選択を受け付けたクーポンを表すリクエストを、Ｗｅｂサーバ３１を介して受け取ったならば（ステップ５２６）、ステップ５２２で抽出したエントリのうちの、リクエストが選択を受け付けたことを表すクーポンのエントリよりクーポン画像を抽出し、図６ｃに示すような抽出したクーポン画像を表すＷｅｂページを作成し、Ｗｅｂサーバ３１を介して、リクエストの応答として、携帯装置２のＷｅｂブラウザ２７に送信する（ステップ５２８）。
【００４６】
ここで、携帯装置２のＷｅｂブラウザ２７はこのようにして送信されたＷｅｂページを表示部２２に表示し、ユーザは、このようにして携帯装置２に表示される図６ｃに示すようなＷｅｂページ中の画像として所望のクーポンのクーポン画像を取得したならば、このＷｅｂページ中のクーポン画像を、店舗の店員に提示する。一方、店員は、このクーポン画像の提示を当該クーポン画像が表すクーポンとして受け入れ、クーポンの内容に応じた物品やサービスをユーザに提供する。
【００４７】
そして、ユーザ管理データベース３３のステップ５０２で取得した携帯装置ＩＤが登録されているユーザレコードのポイントデータの、送信データに含まれる端末ＩＤのエントリのポイント数を、ステップ５２２で抽出したエントリのうちの、リクエストが選択を受け付けたことを表すクーポンのエントリに登録されている換算ポイント分、減算し（ステップ５３０）、ステップ５００からの処理に戻る。
【００４８】
以上、ポイント/クーポン提供処理部３２２が行うポイント/クーポン提供処理について説明した。
以下、上述した認証処理部３２３における送信データの認証動作について説明する。
図７に、認証処理部３２３が、ポイント/クーポン提供処理部３２２から認証の要求を受信したときに行う認証処理の手順を示す。
図示するように、認証処理部３２３は、認証処理において、認証を要求された送信データについてポイント/クーポン提供処理がステップ５０４で取得した携帯装置ＩＤを送信元携帯装置ＩＤとして、送信元携帯装置ＩＤが登録されているユーザレコードがユーザ管理データベース３３に存在するかどうかを調べ（ステップ７０２）、存在しない場合には、ステップ７０６に進む。
【００４９】
一方、送信元携帯装置ＩＤが登録されているユーザレコードが存在していると判定された場合には（ステップ７０２）、当該存在したユーザレコードに登録されている携帯装置ＩＤとＩＣカードＩＤの組が、送信元携帯装置ＩＤと送信データに含まれるＩＣカードＩＤの組み合わせに一致するかどうかを調べ（ステップ７０４）、一致している場合にはステップ７０６に進み、一致していない場合には、送信データが不正であるとして、ポイント/クーポン提供処理部３２２に認証拒否を応答する（ステップ７２２）。そして、所定の不正排除処理を行って（ステップ７２４）、処理を終了する。
【００５０】
なお、送信元携帯装置ＩＤが登録されているユーザレコードが存在しているが、当該ユーザレコードにＩＣカードＩＤが登録されていない場合には、ステップ７０４において、当該ユーザレコードに送信データに含まれるＩＣカードＩＤを登録した上で、当該存在したユーザレコードに登録されている携帯装置ＩＤとＩＣカードＩＤの組が、送信元携帯装置ＩＤと送信データに含まれるＩＣカードＩＤの組み合わせに一致すると判定するようにする。
【００５１】
一方、以上のようにして、ステップ７０２またはステップ７０４からステップ７０６に進んだならば、店舗端末管理データベース３４の送信データに含まれる端末ＩＤが登録された店舗端末レコードの認証履歴データを参照認証履歴データとして、送信データに含まれるシリアルナンバーが既に参照認証履歴データに登録されているかどうか、すなわち、同じ店舗端末１が生成したシリアルナンバーが同じ他の送信データを既に受信、認証しているかどうか（ステップ７０６）と、送信データに含まれる送信日時が現在日時よりも後の日時であるかどうか（ステップ７０８）と、送信データに含まれるシリアルナンバーより前のシリアルナンバーと、送信データに含まれる送信日時よりも後の送信日時とが登録されているエントリが参照認証履歴データに登録されているかどうか、すなわち同じ店舗端末１が生成したシリアルナンバーが送信データより前で送信日時が送信データより後の他の送信データを既に受信、認証しているかどうか（ステップ７１０）と、送信データに含まれるＩＣカードＩＤ履歴が、参照照認証履歴データのエントリのうちの、送信データに含まれるシリアルナンバー未満の送信データに含まれるシリアルナンバーに最も近いシリアルナンバーが登録されているエントリに登録されているＩＣカードＩＤ履歴と整合するかどうか、すなわち、送信データに含まれるＩＣカードＩＤ履歴が既に受信、認証した送信データに含まれるＩＣカードＩＤ履歴と整合しているかどうか（ステップ７１２）とを調べる。
【００５２】
ここで、ステップ７１２では、送信データに含まれるシリアルナンバーがＫ、参照照認証履歴データに登録されているシリアルナンバーのうちの、送信データに含まれるシリアルナンバー未満の送信データに含まれるシリアルナンバーに最も近いシリアルナンバーがＫ-Ｊ、ＩＣカードＩＤ履歴の桁数がＮであるとして、送信データに含まれるＩＣカードＩＤ履歴の１桁目からＮ-Ｊ桁目までが、参照照認証履歴データのシリアルナンバーＫ-Ｊのエントリに登録されているＩＣカードＩＤ履歴のＪ+1桁目からＮ桁目までに一致しない場合に、両者は整合していないと判定する。
【００５３】
そして、送信データに含まれるシリアルナンバーが既に参照認証履歴データに登録されている場合（ステップ７０６）と、送信データに含まれる送信日時が現在日時よりも後の日時である場合（ステップ７０８）、送信データに含まれるシリアルナンバーより前のシリアルナンバーと、送信データに含まれる送信日時よりも後の送信日時とが登録されているエントリが参照認証履歴データに登録されている場合（ステップ７１０）と、送信データに含まれるＩＣカードＩＤ履歴が、参照照認証履歴データのエントリのうちの、送信データに含まれるシリアルナンバー未満の送信データに含まれるシリアルナンバーに最も近いシリアルナンバーが登録されているエントリに登録されているＩＣカードＩＤ履歴と整合しない場合（ステップ７１２）とのうちのいずれかである場合には、送信データが不正であるとして、ポイント/クーポン提供処理部３２２に認証拒否を応答する（ステップ７２２）。そして、所定の不正排除処理を行って（ステップ７２４）、処理を終了する。
【００５４】
一方、いずれでもない場合には、ポイント/クーポン提供処理部３２２に認証成功を応答し（ステップ７１４）、参照認証履歴データに新たなエントリを作成し、現在日時を認証日時として登録すると共に、当該エントリに、送信データに含まれる送信日時、シリアルナンバー、ＩＣカードＩＤ履歴を登録する（ステップ７１６）。
【００５５】
そして、送信元携帯装置ＩＤ登録されているユーザレコードが存在しない場合には（ステップ７１８）、送信元携帯装置ＩＤと送信データに含まれるＩＣカードＩＤを登録した新たなユーザレコードをユーザ管理データベース３３に作成した上で（ステップ７２０）、処理を終了する。
【００５６】
ここで、ステップ７２４の不正排除処理では、不正を検出した送信データに含まれる端末ＩＤや、不正を検出した送信データの送信元携帯装置ＩＤをオペレータに通知し、以降の不正排除のために必要な処置（不正発生原因の究明や、不正携帯装置や不正店舗端末を排除して、正規の携帯装置２や店舗端末１に対して正しく送信データの認証を行えるようにする処置等）を行うようオペレータに促す処理などを行う。
【００５７】
以上、認証処理部３２３が行う認証処理について説明した。
このような認証処理によれば、真正な送信データのみを認証することができる。
また、ステップ７１２において、送信データに含まれるＩＣカードＩＤ履歴と、参照照認証履歴データに登録されているＩＣカードＩＤ履歴と整合を調べることにより、店舗端末１のデータをコピーして不正に生成された送信データを検出することができる。
すなわち、正規の店舗端末１の各種データ（送信履歴管理テーブル１７等）をコピーした不正な店舗端末１が作成された場合、データのコピー直後に最初に正規の店舗端末１が生成する図８ａ１の送信データと、不正な店舗端末１が最初に生成する図８ｂ１の送信データでは、ＩＣカードＩＤ履歴が一致する。
【００５８】
しかし、それ以降に生成される送信データは、正規の店舗端末１が生成する送信データを図８ａ２に、不正な店舗端末１が生成する送信データを図８ｂ２に示すように、両者のＩＣカードＩＤ履歴は異なったものとなる。
したがって、正規の店舗端末１のデータがコピーされた後に、正規の店舗端末１が生成した送信データの認証を、不正な店舗端末１が生成した送信データの認証より先に行った場合には、不正な店舗端末１が生成する送信データのみを正しく認証拒否することができる。そして、通常、不正な店舗端末１の構成には、データのコピー後に各種作業が必要となるため、データのコピー後の正規の店舗端末１の送信データの認証は、不正な店舗端末１の送信データの認証より前に行われることになると考えられるため、ステップ７１２によって、不正な店舗端末１が生成した送信データの認証を正しく拒否できることが期待できる。
【００５９】
また、一方、データがコピーされた後に、不正な店舗端末１が生成した送信データの認証が、正規の店舗端末１が生成した送信データの認証より前に行われてしまった場合にも、不正な店舗端末１が生成した送信データの認証が行われた以降に、ステップ７１２におけるＩＣカードＩＤ履歴の不整合による認証拒否が発生または多発することとなるため、これよりステップ７２４の不正排除処理において不正な店舗端末１の発生を検知して、オペレータに通知し、その処置（たとえば、正規の店舗端末１のリセットや交換）を行うように促すことができる。
【００６０】
以上、本発明の第１実施形態について説明した、
以上のように、本第１実施形態によれば、ユーザが携帯装置２を店舗端末１に近づけるだけで、当該店舗のポイントの取得や当該店舗のポイントの当該店舗のクーポンへの交換を行うことができる。
【００６１】
また、店舗端末１はセンタ装置３と通信する必要がないため、通信コストは発生せず、また、店舗端末１を簡略な構成によって安価に提供することができる。また、店舗端末１を介してポイントやクーポンの発行を行わないので、店舗端末１の煩雑な操作の必要性を排することができる。また、携帯装置２に特段の構成を付加することなく、携帯装置２が備えていることの多い非接触型ＩＣカードチップ２５とＷｅｂブラウザ２７を用いてインセンティブ提供システムを実現することができる。
【００６２】
以下、本発明の第２実施形態について説明する。
本第２実施形態は、上述した第１実施形態におけるユーザへのクーポン提供を上述した形態を変更したものである。
図９に、本第２実施形態に係る店舗端末１、携帯装置２、センタ装置３の内部構成を示す。
図示するように、本第２実施形態に係る店舗端末１と携帯装置２とセンタ装置３の構成は、センタ装置に、クーポン発行用Ｗｅｂサーバ３５と、Ｗｅｂアプリケーションサーバ３２内のクーポン発行部３２４とを設けた点のみが、第１実施形態の構成と異なる。
また、本第２実施形態では、図１０ａに示すように、ユーザ管理データベース３３の各ユーザレコードにキープクーポンデータを登録する。キープクーポンデータには、店舗端末毎に設けた店舗毎キープクーポンレコードを有し、各店舗毎キープクーポンレコードには、対応する店舗端末ＩＤが設置されている店舗から、対応するユーザに対して発行されたクーポンのクーポンＩＤが登録される。なお、後述するように、本第２実施形態ではクーポン発行の時点では、クーポン画像は携帯装置２には送信されない。
【００６３】
また、本実施形態では、図１０ｂに示すように、店舗端末管理データベース３４の各店舗端末レコードに、店舗パスを登録する。店舗パスには、対応する店舗端末１を表すパスとして用いる、クーポン発行用Ｗｅｂサーバ３５内のパスが登録される。
以下、このような構成におけるユーザへのクーポン提供動作について説明する。
まず、携帯装置２のＷｅｂブラウザ２７は、クーポン発行用Ｗｅｂサーバ３５のURLに特定の店舗端末１を表す上述した店舗パスを、クーポン発行用Ｗｅｂサーバ３５内のパスとして付加したURL、もしくは、クーポン発行用Ｗｅｂサーバ３５のURLに特定の店舗端末１を表す店舗パスと特定のクーポンのクーポンＩＤとを、クーポン発行用Ｗｅｂサーバ３５内のパスとして付加したURLを取得し、取得したURLにアクセスする。
【００６４】
Ｗｅｂブラウザ２７は、このアクセスするURLを、たとえば、店舗パスが表す店舗端末１が設置された店舗が運営している当該店舗のＷｅｂページや、クーポン情報の提供を行うＷｅｂページに含まれているリンクのリンク先のURL、印刷物上のQRコードが表すURLなどとして取得する。
【００６５】
すなわち、たとえば、店舗のＷｅｂページに設けた、クーポンコーナーへの移動を受け付けるためのメニューボタンに対して、クーポン発行用Ｗｅｂサーバ３５のURLに当該店舗の店舗端末１を表す店舗パスを付加したURLをリンク先として設定しておくことにより、Ｗｅｂブラウザ２７で当該店舗のＷｅｂページを閲覧した携帯装置２のユーザが、当該メニューボタンを操作したときに、Ｗｅｂブラウザ２７が、当該メニューボタンにリンク先として設定されているURLを取得し、取得したURLにアクセスするようにする。
【００６６】
また、店舗のＷｅｂページやクーポン情報の提供を行うＷｅｂページに設けた、特定のクーポン提供を行うためのメニューボタンに対して、クーポン発行用Ｗｅｂサーバ３５のURLに当該クーポンを提供する店舗の店舗端末１を表す店舗パスと当該クーポンのクーポンＩＤを付加したURLをリンク先として設定しておき、Ｗｅｂブラウザ２７で当該店舗のＷｅｂページを閲覧した携帯装置２のユーザが、当該メニューボタンを操作したときに、Ｗｅｂブラウザ２７が、当該メニューボタンにリンク先として設定されているURLを取得し、取得したURLにアクセスするようにする。
【００６７】
次に、センタ装置３は、携帯装置２のＷｅｂブラウザ２７の、クーポン発行用Ｗｅｂサーバ３５に対するアクセスが発生すると以下の動作を行う。
すなわち、クーポン発行用Ｗｅｂサーバ３５は、当該アクセスのリクエストに含まれる当該アクセス元の携帯装置２の携帯装置ＩＤを取得すると共に、当該アクセスに含まれる、Ｗｅｂサーバ３１内のパスを表す部分を、アクセスURLとしてクーポン発行部３２４に送信する。
【００６８】
一方、クーポン発行部３２４は、図１１に示すクーポン発行処理によってクーポン発行用Ｗｅｂサーバ３５から受け取ったアクセスURLを処理する。
以下、このクーポン発行処理について説明する。
図１１に示すようにクーポン発行部３２４は、クーポン発行用Ｗｅｂサーバ３５からのアクセスURLの受信を待ち（ステップ８０２）、アクセスURLを受信したならば、Ｗクーポン発行用Ｗｅｂサーバ３５が取得している当該アクセスURLを含むURLへのアクセスを行った携帯装置２の携帯装置ＩＤを取得し送信元携帯装置ＩＤとする（ステップ８０４）。そして、アクセスURLに含まれる店舗パスとクーポンＩＤを抽出する（ステップ８０６）。
【００６９】
次に、送信元携帯装置ＩＤが登録されているユーザレコードが存在しない場合には（ステップ８０８）、送信元携帯装置ＩＤを登録した新たなユーザレコードをユーザ管理データベース３３に作成する（ステップ８１０）。
そして、ステップ８０６で抽出した店舗パスが登録されている店舗端末レコードを対象店舗端末レコードに設定する（ステップ８１２）。次に、ステップ８０６でクーポンＩＤが抽出されているかどうか、すなわち、携帯装置２がアクセスしたURLで特定のクーポンのクーポンＩＤが指定されているかどうかを調べ（ステップ８１４）、指定されていなければ、対象店舗端末レコードのクーポンデータから換算ポイントが無料のクーポンをプレゼントクーポンとして抽出し（ステップ８１６）、携帯装置２がアクセスしたURLで特定のクーポンＩＤが指定されていれば、ステップ８０６で抽出したクーポンＩＤを指定クーポンＩＤとして、対象店舗端末レコードのクーポンデータから指定クーポンＩＤのクーポンのみをプレゼントクーポンとして抽出する（ステップ８１８）。
【００７０】
次に、ユーザ管理データベース３３の送信元携帯装置ＩＤが登録されているユーザレコードのポイントデータの、対象店舗端末レコードのエントリの端末ＩＤのエントリのポイント数を取得する（ステップ８２０）。そして、店舗端末管理データベース３４の対象店舗端末レコードのクーポンデータを参照して、換算ポイントがステップ８２０で取得したポイント数以下かつプレゼントクーポンとして抽出されていないクーポンを交換可能クーポンとして抽出する（ステップ８２２）。また、送信元携帯装置ＩＤが登録されているユーザレコードのキープクーポンデータの対象店舗端末レコードの端末ＩＤが登録されている店舗毎キープクーポンレコードに登録されているクーポンをキープクーポンとして抽出する（ステップ８２４）。
【００７１】
そいて、図１３ａ１、ａ２に示すように、プレゼントクーポン、交換可能クーポン、キープクーポンの一覧を分類して表すＷｅｂページであって、Ｗｅｂページ上でユーザから選択されたプレゼントクーポンもしくは交換可能クーポンを表すリクエストのクーポン発行用Ｗｅｂサーバ３５に対する送信を、Ｗｅｂページ表示時のＷｅｂブラウザ２７動作として定義したＷｅｂページを作成しクーポン発行用Ｗｅｂサーバ３５を介して、クーポン発行用Ｗｅｂサーバ３５へのアクセスへの応答として、携帯装置２のＷｅｂブラウザ２７に送信する（ステップ８２６）。
【００７２】
ここで、図１３ａ１は、携帯装置２のユーザが初めてインセンティブ提供システムを利用した場合に送信されるＷｅｂページを表しており、この時点で、このユーザは、ポイントもキープクーポンも有していないため、プレゼントクーポンのみがＷｅｂページに表示されている。
【００７３】
ここで、携帯装置２のＷｅｂブラウザ２７はこのようにして送信されたＷｅｂページを表示部２２に表示し、ユーザは、このようにして携帯装置２に表示される図１３ａ１、ａ２に示すようなＷｅｂページのプレゼントクーポンもしくが交換可能クーポンのうちの所望のクーポンを選択する。また、クーポンの選択を受け付けたＷｅｂブラウザ２７は、Ｗｅｂページの定義に従って、選択を受け付けたクーポンを表すリクエストをクーポン発行用Ｗｅｂサーバ３５に送信する。
【００７４】
さて、図１１に戻り、ステップ８２６で送信したＷｅｂページでユーザから選択を受け付けたクーポンを表すリクエストを、クーポン発行用Ｗｅｂサーバ３５受け取ったならば（ステップ８２８）、選択されたクーポンを送信元携帯装置ＩＤが登録されているユーザレコードのキープクーポンデータの対象店舗端末レコードの端末ＩＤが登録されている店舗毎キープクーポンレコードに追加する（ステップ８３０）。
【００７５】
そして、選択されたクーポンがプレゼントクーポンでない場合には（ステップ８３２）、送信元携帯装置ＩＤが登録されているユーザレコードのポイントデータの、対象店舗端末レコードのエントリの端末ＩＤのエントリのポイント数を、対象店舗端末レコードのクーポンデータの選択されたクーポンンのエントリに登録されている換算ポイント分、減算し（ステップ８３４）、ステップ８０２からの処理に戻る。
【００７６】
以上、クーポン発行部３２４のクーポン発行処理について説明した。
次に、本第２実施形態において、センタ装置３のポイント/クーポン提供処理部３２２が行うポイント/クーポン提供処理について説明する。
図１２に、第２実施形態に係るポイント/クーポン提供処理の手順を示す。
図示するように、本ポイント/クーポン提供処理は、第１実施形態で示したポイント/クーポン提供処理と、当該処理のステップ５１２において、送信データがクーポン発行用の送信データあると判定された場合の動作のみが異なる。
すなわち、本第２実施形態では、ステップ５１２において送信データがクーポン発行用の送信データであると判別されならば、ユーザ管理データベース３３のステップ５０２で取得した携帯装置ＩＤが登録されているユーザレコードのクーポンデータの、送信データに含まれる端末ＩＤの店舗毎クーポンレコードに登録されているクーポンを抽出する（ステップ５５０）。
【００７７】
そして、抽出したクーポンが一つであれば（ステップ５５２）、送信データに含まれる端末ＩＤの店舗端末レコードより、抽出したクーポンのクーポン画像を取得し、図１３ｃに示すような抽出したクーポン画像を表すＷｅｂページを作成し、Ｗｅｂサーバ３１を介して、当該送信データを暗号化して含むURLへのアクセスへの応答として、携帯装置２のＷｅｂブラウザ２７に送信する（ステップ５５８）。
【００７８】
そして、取得した携帯装置ＩＤが登録されているユーザレコードのクーポンデータの、送信データに含まれる端末ＩＤの店舗毎クーポンレコードから、クーポン画像を送信したクーポンの登録を抹消し（ステップ５６０）、ステップ５００からの処理に戻る。
一方、ステップ５５０で抽出したクーポンが複数あれば（ステップ５５２）、抽出したクーポンの図１３ｂに示すような一覧を表したＷｅｂページであって、Ｗｅｂページ上でユーザから選択されたクーポンを表すリクエストのＷｅｂサーバ３１に対する送信を、Ｗｅｂページ表示時のＷｅｂブラウザ２７動作として定義したＷｅｂページを作成し、Ｗｅｂサーバ３１を介して、当該送信データを暗号化して含むURLへのアクセスへの応答として、携帯装置２のＷｅｂブラウザ２７に送信する（ステップ５５４）。
【００７９】
ここで、携帯装置２のＷｅｂブラウザ２７はこのようにして送信されたＷｅｂページを表示部２２に表示し、ユーザは、このようにして携帯装置２に表示される図１３ｂに示すようなＷｅｂページから、先に発行を受けキープしているクーポンを認知し、使用したいクーポンがあれば、それを選択する。また、クーポンの選択を受け付けたＷｅｂブラウザ２７は、Ｗｅｂページの定義に従って、選択を受け付けたクーポンを表すリクエストをＷｅｂサーバ３１に送信する。
【００８０】
そして、ステップ５５４で送信したＷｅｂページでユーザから選択を受け付けたクーポンを表すリクエストを、Ｗｅｂサーバ３１を介して受け取ったならば（ステップ５５６）、送信データに含まれる端末ＩＤの店舗端末レコードより、リクエストが選択を受け付けたことを表すクーポンのクーポン画像を取得し、図１３ｃに示すような抽出したクーポン画像を表すＷｅｂページを作成し、Ｗｅｂサーバ３１を介して、リクエストの応答として、携帯装置２のＷｅｂブラウザ２７に送信する（ステップ５５８）。
【００８１】
そして、取得した携帯装置ＩＤが登録されているユーザレコードのクーポンデータの、送信データに含まれる端末ＩＤの店舗毎クーポンレコードから、クーポン画像を送信したクーポンの登録を抹消し（ステップ５６０）、ステップ５００からの処理に戻る。
以上、本発明の第２実施形態について説明した。
このように、本第２実施形態によれば、携帯装置２のユーザは、店舗の訪問に先だって予めクーポン提供用Ｗｅｂサーバ３５にアクセスして当該店舗のクーポンの発行を受けることができる。また、その後、店舗において店舗端末１にタッチするだけで、発行されているクーポンをクーポン画像に交換して、当該クーポンを使用することができるようになる。
【００８２】
ここで、このように本第２実施形態においても、店舗端末１はセンタ装置３と通信する必要がないため、通信コストは発生せず、また、店舗端末１を簡略な構成によって安価に提供することができる。また、店舗端末１を介してポイントやクーポンの発行を行わないので、店舗端末１の煩雑な操作の必要性を排することができる。また、携帯装置２に特段の構成を付加することなく、携帯装置２が備えていることの多い非接触型ＩＣカードチップ２５とＷｅｂブラウザ２７を用いてインセンティブ提供システムを実現することができる。
【００８３】
ところで、以上の第１実施形態と第２実施形態はこれを組み合わせて実施するようにしてもよい。すなわち、ユーザへのクーポンの提供を第１実施形態で示した形態、第２実施形態で示した形態との両方で行うようにしてもよい。
また、以上の各実施形態では、一つの店舗端末１を一つの店舗と見なして、店舗端末単位にポイントやクーポンを管理、提供することにより店舗単位にポイントやクーポンを提供するようにしたが、これは、店舗が備える複数の店舗端末１のグループ毎、または、系列の複数の店舗が備える複数の店舗端末１のグループ毎にポイントやクーポンを管理、提供するようにすることにより、店舗単位または店舗の系列単位にポイントやクーポンを提供するようにしてもよい。
【００８４】
また、センタ装置３に、ユーザ管理データベース３３のユーザレコードの購入履歴から、個々のユーザの購買傾向を解析し、ユーザに購買傾向にあったクーポンを提供するためのクーポン発行用Ｗｅｂサーバ３５上のURLや広告を電子メール等により送信する機能を設けるようにしてもよい。
【００８５】
また、以上の各実施形態において、店舗端末１においてクーポン発行用の送信データのデータコードにランダムに選定した色を指定するデータを含めると共に、選定した色をオペレータに提示すると共に、センタ装置３において、送信するクーポン画像の背景色をデータコードで指定された色とするようにしてもよい。このようにすることにより、店舗端末１のオペレータは店舗端末１の提示色と、携帯装置２に表示されるクーポン画像の背景色の一致よりクーポン画像の真正性を識別することができるので、既に使用したクーポン画像の不正な使用を排除することができるようになる。
【符号の説明】
【００８６】
１…店舗端末、２…携帯装置、３…センタ装置、１１…表示装置、１２…入力装置、１３…端末制御部、１４…リーダライタ、１５…暗号化処理部、１６…送信データ生成部、１７…送信履歴データテーブル、２１…操作部、２２…表示部、２３…音声入出力部、２４…移動体通信装置、２５…非接触型ＩＣカードチップ、２６…移動動電話アプリケーション、２７…Ｗｅｂブラウザ、２８…アプリケーション、３１…Ｗｅｂサーバ、３２…Ｗｅｂアプリケーションサーバ、３３…ユーザ管理データベース、３４…店舗端末管理データベース、３２１…復号部、３２２…クーポン提供処理部、３２３…認証処理部。
【図１】
2012181652.tif 000003
【図２】
2012181652.tif 000004
【図３】
2012181652.tif 000005
【図４】
2012181652.tif 000006
【図５】
2012181652.tif 000007
【図６】
2012181652.tif 000008
【図７】
2012181652.tif 000009
【図８】
2012181652.tif 000010
【図９】
2012181652.tif 000011
【図１０】
2012181652.tif 000012
【図１１】
2012181652.tif 000013
【図１２】
2012181652.tif 000014
【図１３】
2012181652.tif 000015